(57)【要約】【課題】ロック操作ハンドルなどを備えた錠装置と、コインメック（硬貨処理装置）とを正面視して重なるように配設させた場合でも、身体障害者などの利用者に対して利便性を低下させることのない自動販売機の扉構造を提供する。【解決手段】前面扉２に、この前面扉２の前面パネル１８よりも手前側に突出させた突出状部１３を設け、この突出状部１３に、前面扉２を自動販売機本体１に対して開かないようにロックするロック機構の錠装置３０を配設する。これにより、実質的に、錠装置３０を前面扉２の前面パネル１８に対して接近させた状態で配設でき、コイン導入シュート２１やコイン排出シュート２２を短めのものを用いることができて、コイン投入口７を前面扉２において中央寄りの低い位置に配置でき、かつ釣銭返却口を前面扉２において中央寄りの高い位置に配置できる。【選択図】図４
2008097316.tif 000002
【特許請求の範囲】
【請求項１】
コインを種類別に選別して格納し、釣銭を払い出す硬貨処理装置と、自動販売機本体に開閉自在に取り付けられた前面扉を前記自動販売機本体に対して開かないようにロックするロック機構とを備え、前記ロック機構の錠装置が、前記硬貨処理装置に対して正面視して少なくとも一部が重なるように配設された自動販売機であって、前記前面扉に、この前面扉の前面パネルよりも手前側に突出させた突出状部を設け、この突出状部に、前記錠装置を配設した自動販売機の扉構造。
【請求項２】
突出状部の上面部分に、コイン投入口へコインを導入するコイン投入受皿を形成し、前記突出状部における前記コイン投入受皿の下方に、ロック機構の錠装置を配設した請求項１記載の自動販売機の扉構造。
【請求項３】
前面扉に、この前面扉の前面パネルよりも手前側に突出させて、釣銭返却口を介して釣銭が払い出される釣銭払出受皿を、コイン投入受皿および錠装置の下方に配設した請求項２に記載の自動販売機の扉構造。
【請求項４】
突出状部に、前面扉の奥側に押すことで釣銭の返却動作を行わせる釣銭返却用押ボタンを設けた請求項１〜３の何れか１項に記載の自動販売機の扉構造。
【発明の詳細な説明】
【技術分野】
【０００１】
本発明は自動販売機の扉構造に関する。
【背景技術】
【０００２】
図１０（ａ）に簡略的に示すように、一般の自動販売機では、商品を取り出す商品取出口５１や釣銭が払い出される釣銭返却口５２が、前面扉５０における高さ方向の下端部近傍に配置され、コインを投入するコイン投入口５３や紙幣を挿入する紙幣挿入口５４が、前面扉５０の上部に配置されている。
【０００３】
しかし、このような配置の自動販売機では、車椅子を利用している身体障害者などの利用者が自動販売機を利用しようとすると、その手の届く範囲が限られるため、商品や釣銭を取り出し難かったり、コインや紙幣を投入し難い難点がある。
【０００４】
このような問題に対処する自動販売機として、車椅子を利用している身体障害者などの利用者が、車椅子に座ったままの姿勢などでも利用し易いよう、図１０（ｂ）に簡略的に示すように、商品取出口５１や釣銭返却口５２を、自動販売機の前面扉５０における高さ方向中央部や下部の中央寄り位置に配置したり、コイン投入口５３や紙幣挿入口５４を、前面扉５０における高さ方向中央部付近に配置したものが実用化されている。なお、後述するが、図１０（ａ）、（ｂ）において、６０は硬貨処理装置（コインメック）、７２は、自動販売機本体に対して前面扉５０が開かないようにロックするロック機構の錠装置に設けられたロック操作ハンドル、５５は釣銭返却レバーである。
【０００５】
また、前記利用者に対して、自動販売機をさらに利用し易くする方法として、上記のような構成に加え、図１０（ｂ）に示すように、商品見本５７や商品選択ボタン５８が設けられる展示室５９の一部を下方（高さ方向の中央部）まで延長した配置とし、商品見本５７や商品選択ボタン５８も高さ方向中央寄りの低い位置にも設けることが考えられ、これによれば、前記車椅子に座った状態で利用している利用者が、商品見本５７をより見易くなり、また、商品選択ボタン５８をより操作し易くなる。
【０００６】
さらに、コインの投入動作の容易化を図ったり、利便性を高めたりするものとして、コイン投入口の手前側にコイン投入受皿を突出させて設けたものが、券売機などの自動販売機で実用化されている（図示せず：特許文献１等参照）。このコイン投入受皿には、コインをコイン投入口に案内して導入する導入傾斜面が、上方または斜め上方に臨むように形成されている。この種のコイン受皿を設けると、コインを導入傾斜面が設けられている箇所に投げ込むだけで、コインがコイン投入口に導入されるため、前記身体障害者などの利用者を含めた全ての利用者にとってコインの投入動作を行い易くなるとともに、複数枚のコインを一度に容易に投入できるようになり、利便性が向上する。
【０００７】
ところで、図１１（ａ）、（ｂ）に簡略的に示すように、自動販売機においては、コインを種類別に選別して格納し、また、釣銭を払い出す硬貨処理装置（以下、コインメック６０と称す）が設けられているが、このコインメック６０は、防犯上の必要性から、前面扉５０における裏側部分、すなわち、前面扉５０の前面パネル５６よりも奥側に設けられている。
【０００８】
一般に、コインメック６０とコイン投入口５３や釣銭返却口５２との間には、コインＣを自然落下により案内するコイン導入シュート６１やコイン排出シュート６２が介装される。コインＣをコインメック６０に対して自然落下により導入並びに排出する場合、これらのコイン導入シュート６１やコイン排出シュート６２は、コインＣの流れ方向に対して良好に自然落下できるよう斜め下方に延ばされた姿勢で形成されている。したがって、図１１（ａ）、（ｂ）に簡略的に示すように、利用者によりコイン投入口５３から投入されたコインＣは、コイン投入口５３に続けて奥行方向に対して下方に傾斜して設けられたコイン導入シュート６１内を流れ落ちて、コインメック６０内に導入されて選別・収納される。また、コインメック６０から釣銭として払い出されたコインＣは、コインメック６０の釣銭払出部に続いて手前側に傾斜するコイン排出シュート６２内を流れ落ちて釣銭返却口５２に払い出される。
【０００９】
このように、コインメック６０とコイン投入口５３や釣銭返却口５２との間には、コインＣを自然落下により案内するコイン導入シュート６１やコイン排出シュート６２が介装されるため、図１１（ｂ）に簡略的に示すように、コインメック６０を自動販売機の前面扉５０における前面パネル５６から離れた位置に配設した場合には、図１１（ａ）に簡略的に示すように、コインメック６０を自動販売機の前面扉５０における前面パネル５６に接近させて配設した場合と比較して、コイン導入シュート６１やコイン排出シュート６２を長めのものを用いなければならず、コイン投入口５３と釣銭返却口５２との間の高さ方向の離間寸法Ｈ１も、コインメック６０を前面パネル５６に接近させて配設させた場合の離間寸法Ｈ２と比較して、大きくなってしまう。したがって、上記のように車椅子を利用している身体障害者などの利用者でも使用できる自動販売機として、コインメック６０を自動販売機の前面扉５０における前面パネル５６から離れた位置に配設すると、コイン投入口５３が自動販売機の前面扉５０において高い位置になるとともに釣銭返却口５２が低い位置となり、車椅子を利用している身体障害者などの利用者にとっては、不便となり易く、前記利用者の利便性を考慮すると、できるだけ、コインメック６０を前面パネル５６に接近させて配設することが望ましい。
【００１０】
また、図１０に示すように、自動販売機には自動販売機本体に対して前面扉５０が開かないようにロックするシリンダー錠などからなる錠装置７１を備えたロック機構が設けられており、前面扉５０には錠装置７１のロック操作ハンドル７２が、前面パネル５６に露出して配設されている。なお、ロック用ハンドル７２の奥部には、錠装置７１の本体部分が組みつけられており、この錠装置７１は、ある程度（数ｃｍ）奥行方向に厚みを有する構造である。
【特許文献１】特開２００３−１６２７５４公報
【発明の開示】
【発明が解決しようとする課題】
【００１１】
ところで、図１０（ｂ）に示すように、車椅子を利用している身体障害者などの利用者が、車椅子に座ったままの姿勢などでも利用し易いように、高さ方向中央寄りの低い位置に設けた商品見本５７や商品選択ボタン５８の数が多いほうがよく、これらの商品見本５７や商品選択ボタン５８が設けられる箇所の展示室５９（展示室５９の下段部分）の幅はできるだけ広いままの状態に維持することが好ましい。また、自動販売機の設置空間は制約がある場合が多いため、自動販売機の幅は、無駄を排除してできるだけ狭くすることが好ましい。
【００１２】
これらに対処する方法としては、図１０（ｃ）、図１１（ｂ）に示すように、前面扉５０における、ロック用ハンドル７２を備えた錠装置７１の奥側にコインメック６０を配設する、すなわち、ロック操作ハンドル７２などを備えた錠装置７１と、コインメック６０とが正面視して重なるように配設して、自動販売機の設置空間の制約などに対処しながら、これらの部品による幅方向寸法を抑えることが考えられる。これにより、図１０（ｂ）に示す自動販売機と比較して自動販売機のケース幅を小さくできる。しかしがら、このような配置とすると、図１１（ｂ）および図１０（ｃ）に示すように、コイン導入シュート６１やコイン排出シュート６２を長めのものを用いることとなり、コイン投入口５３が自動販売機の前面扉５０において高い位置になるとともに釣銭返却口５２が低い位置となり、車椅子を利用している身体障害者などの利用者にとっては、不便となる課題を生じてしまう。
【００１３】
本発明は上記課題を解決するもので、ロック操作ハンドルなどを備えた錠装置と、コインメック（硬貨処理装置）とを正面視して重なるように配設させた場合でも、身体障害者などの利用者に対して利便性を低下させることのない自動販売機の扉構造を提供することを目的とするものである。
【課題を解決するための手段】
【００１４】
上記課題を解決するために本発明の自動販売機の扉構造は、コインを種類別に選別して格納し、釣銭を払い出す硬貨処理装置と、自動販売機本体に開閉自在に取り付けられた前面扉を前記自動販売機本体に対して開かないようにロックするロック機構とを備え、前記ロック機構の錠装置が、前記硬貨処理装置に対して正面視して少なくとも一部が重なるように配設された自動販売機であって、前記前面扉に、この前面扉の前面パネルよりも手前側に突出させた突出状部を設け、この突出状部に、前記錠装置を配設したことを特徴とする。
【００１５】
この構成により、錠装置を、前面扉の前面パネルよりも手前側に突出させた突出状部に配設したので、硬貨処理装置に対して錠装置を正面視して重なるように配設させた場合でも、実質的に、錠装置を前面扉の前面パネルから前後方向に対して接近させた状態で配設できる。したがって、コイン導入シュートやコイン排出シュートを短めのものを用いることができ、この結果、コイン投入口を自動販売機の前面扉において中央寄りの低い位置に配置でき、かつ釣銭返却口を前面扉において中央寄りの高い位置に配置できる。
【００１６】
また、本発明は、突出状部の上面部分に、コイン投入口へコインを導入するコイン投入受皿を形成し、前記突出状部における前記コイン投入受皿の下方に、ロック機構の錠装置を配設したことを特徴とする。
【００１７】
この構成により、突出状部の上面部分にコイン投入受皿を形成したので、身体障害者などの利用者を含めた全ての利用者にとってコインの投入動作を行い易くなるとともに、複数枚のコインを一度に容易に投入できるようになり、利便性が向上する。そして、前面扉の前面パネルよりも手前側に突出させた突出状部を、コイン投入受皿と、錠装置の収容配設部として兼用することができる。
【００１８】
また、本発明は、前面扉に、この前面扉の前面パネルよりも手前側に突出させて、釣銭返却口を介して釣銭が払い出される釣銭払出受皿を、コイン投入受皿および錠装置の下方に配設したことを特徴とする。
【００１９】
この構成により、前面扉の前面パネルよりも手前側に突出させて釣銭払出受皿を設けたので、身体障害者などの利用者を含めた全ての利用者にとって釣銭の回収動作を行い易くなり、利便性が向上する。
【００２０】
また、本発明は、突出状部に、前面扉の奥側に押すことで釣銭の返却動作を行わせる釣銭返却用押ボタンを設けたことを特徴とする。
この構成により、釣銭返却用押ボタンを奥側に押すことで釣銭の返却動作を行わせることができ、一般の自動販売機のように、返却レバーを回動させることにより返却動作を行わせる場合と比較して、身体障害者などの利用者を含めた全ての利用者にとってより使い易くなる。また、突出状部に釣銭返却用押ボタンを設けているので、この突出状部に釣銭返却用押ボタンの押圧動作を回転動作に変換する機構を内装することで、返却レバー仕様の返却機構を備えた硬貨処理装置を利用することができる。
【発明の効果】
【００２１】
本発明によれば、錠装置を、前面扉の前面パネルよりも手前側に突出させた突出状部に配設することにより、硬貨処理装置に対して錠装置を正面視して重なるように配設させた場合でも、コイン投入口を自動販売機の前面扉において中央寄りの低い位置に配置できるとともに釣銭返却口を前面扉において中央寄りの高い位置に配置でき、車椅子を利用している身体障害者などの利用者が、車椅子に座ったままの姿勢などでも利用し易い自動販売機を提供することができる。
【００２２】
また、突出状部の上面部分にコイン投入受皿を形成することにより、身体障害者などの利用者を含めた全ての利用者にとってコインの投入動作を行い易くなるとともに、複数枚のコインを一度に容易に投入できるようになり、利便性が向上する。また、前面扉の前面パネルよりも手前側に突出させた突出状部を、コイン投入受皿と、錠装置の収容配設部として兼用することができるので、それぞれ別個に突出状部を形成する場合に比べて構造が簡単となり、製造コストの増加を少なく抑えることができる。
【００２３】
また、前面扉の前面パネルよりも手前側に突出させて釣銭払出受皿を設けることにより、身体障害者などの利用者を含めた全ての利用者にとって釣銭の回収動作も行い易くできて、さらに利便性が向上する。
【００２４】
また、突出状部に、前面扉の奥側に押すことで釣銭の返却動作を行わせる釣銭返却用押ボタンを設けることにより、釣銭の返却動作をより容易に行うことができ、一層利便性を向上させることができる。また、突出状部に釣銭返却用押ボタンを設けているので、この突出状部に釣銭返却用押ボタンの押圧動作を回転動作に変換する機構を内装することで、返却レバー仕様の返却機構を備えた硬貨処理装置を利用することができ、製造コストの増加を最小限に抑えることができる。
【発明を実施するための最良の形態】
【００２５】
以下、本発明の実施の形態を図面を参照しながら説明する。なお、以下の説明の左右方向とは、自動販売機を正面から見た（正面視した）状態での左右方向として説明する。
図１〜図３に示すように、自動販売機本体１に縦軸心Ｏ（この実施の形態では、縦軸心Ｏが自動販売機の左側端部に設けられている場合を示すが、これに限るものではなく、自動販売機の右側端部）を中心として前面扉２が開閉自在に取り付けられている。前面扉２には展示室３が設けられ、この展示室３内に、複数の商品見本４が見本棚５上に左右に並べられてかつ上下複数段に展示されているとともに、この商品見本４に対応するように、商品を選択する商品選択ボタン６も並設されている。また、前面扉２には、商品を購入するためのコインを投入するコイン投入口７、紙幣を挿入する紙幣挿入口８、利用者が投入したコインなどの金額を表示する投入金額表示部９や、釣銭や投入金を返却させるための釣銭返却用押ボタン１０、釣銭が返却される釣銭返却口１１、商品が払い出される商品取出口１２などが設けられている。
【００２６】
この自動販売機では、前面扉２の高さ方向中央部における右側半分の領域に、前面扉２全体の前面部分をなす前面パネル１８よりも手前側に略数ｃｍ、島状に突出させた突出状部（突出操作部）１３が設けられ、この突出状部１３にそれぞれ上記した前記各種操作用構成要素部分が配設されている。
【００２７】
すなわち、図２、図３などに示すように、突出状部１３には、右側の上面部分に、下方に窪んでコイン投入口７へコインを導入するコイン投入受皿１４が手前側に突出して形成され、コイン投入受皿１４の奥側部分にコイン投入口７が開口され、コイン投入受皿１４の内側にはコイン投入口７が最も低くなるようにコインを案内する傾斜面が形成されている。また、突出状部１３における右側の下部、すなわち、コイン投入受皿１４の下方には、自動販売機本体１に対して前面扉２が開かないようにロックするロック機構の錠装置３０（詳しくは、錠装置３０のロック操作ハンドル３１など）が配設されている。また、突出状部１３の左右方向中央部の上部に、奥側に押すことで釣銭の返却動作を行わせる釣銭返却用押ボタン１０が配設され、さらに、この釣銭返却用押ボタン１０が設けられている箇所の左隣箇所に、紙幣挿入口８が設けられている。紙幣挿入口８にも、紙幣を挿入し易くするために、紙幣を受けて案内する紙幣ガイド部１６が手前に突出して形成されている。また、突出状部１３における左側部分の上部に投入金額表示部９が配設されている。
【００２８】
また、この自動販売機では、展示室３の下部における左寄り部分が前面扉２における高さ方向中央部まで延ばされて設けられている。したがって、前面扉２における突出状部１３の左隣も展示室３とされ、この箇所にも、複数の商品見本４および商品選択ボタン６が左右に並設されている。
【００２９】
また、この自動販売機では、商品取出口１２や釣銭返却口１１が、自動販売機の前面扉２における高さ方向中央部寄り位置、すなわち、一般の自動販売機よりも上方寄り位置に配設されている。商品取出口１２には、内開き式で透明な取出口扉１７が設けられ、商品が商品取出口１２に払い出された際に、透明な取出口扉１７を通して、商品を見つけ易いよう図られている。また、図２、図５に示すように、前面扉２における商品取出口１２の右隣に釣銭返却口１１が設けられているが、この釣銭返却口１１が設けられている箇所も、商品取出口１２の右隣の突出部分に続けて、前面扉２の前面パネル１８よりも手前側に島状に突出された第２突出状部１９が設けられている。そして、この第２突出状部１９に、釣銭返却口１１を介して釣銭が払い出される釣銭払出受皿１５が、手前側に突出し、かつ突出部分が下方に窪んだ形状で組込まれている。
【００３０】
ところで、図３、図４、図６などに示すように、この自動販売機においても、コインを種類別に選別して格納し、必要に応じて釣銭を払い出す硬貨処理装置（以下、コインメックと称す）２０が設けられており、このコインメック２０は、前面扉２における前面パネル１８の裏側に固定された支持プレート２５（図６参照）を介して、前面扉２における裏側部分、すなわち、前面扉２の前面パネル１８よりも奥側に設けられている。また、図４に示すように、コインメック２０とコイン投入口７との間には、コイン投入口７から投入されたコインＣを自然落下によりコインメック２０に案内するコイン導入シュート２１が介装され、また、図５に示すように、コインメック２０と釣銭返却口１１との間には、コインメック２０から排出されたコインＣを自然落下により案内するコイン排出シュート２２が介装されている。なお、この実施の形態では、釣銭払出受皿１５の奥側部分が、コイン排出シュート２２を兼用するように一体化されて形成されており、このコイン排出シュート２２が後述するコインメック２０のコイン排出口に接続されている。
【００３１】
また、自動販売機には、通常販売時に自動販売機本体１に対して前面扉２が開かないようにロックするロック機構が備えられている。ロック機構は、シリンダー錠からなる錠装置３０を備えており、この錠装置３０に取り付けられたロック操作ハンドル３１が、前面パネル１８から露出して配設されている。錠装置３０は、外殻をなすベース部３２によりブラケット３３、３４を介して前面パネル１８に取り付けられ、鍵が挿入されるキー挿入部３５と、ベース部３２の内部において解錠時に回動自在となる回動部３６を回動させるロック操作ハンドル３１とが、外部に露出されて配設されている。また、錠装置３０の回動部３６の後端面には回動プレート３７がねじ３８で取り付けられており、解錠時には、この回動プレート３７が、ロック操作ハンドル３１や回動部３６と一体的に回動するよう構成されている。
【００３２】
図６〜図８に示すように、前面扉２の裏面寄り箇所には、上下に延びるスライドロック部材４１が、前面扉２の裏面板３９や補強ガイド部材４０などによって前面扉２内で上下にスライド自在に支持されている。このスライドロック部材４１には横孔部４１ａとロック用孔部４１ｂとが形成され、回動プレート３７の一端に形成されたフック部３７ａが、スライドロック部材４１の横孔部４１ａに挿入されて係合されている。そして、錠装置３０にキーが挿入されてロック操作ハンドル３１とともに回動部３６並びに回動プレート３７が回動された際に、回動プレート３７に連動してスライドロック部材４１が昇降されるようになっている。
【００３３】
図６に示すように、自動販売機本体１の側面パネル１ａの前端周部には補強板４３を介して、前面扉２側に延びる固定ロック部材４２が固定され、図７、図８（ａ）に示すように、固定ロック部材４２の先端に形成された切欠アーム部４２ａがスライドロック部材４１のロック用孔部４１ｂに嵌入自在とされている。そして、前面扉２が閉じられて錠装置３０が施錠されている際には、スライドロック部材４１におけるロック用孔部４１ｂの直上部分が、固定ロック部材４２の切欠アーム部４２ａに形成された切欠部４２ｂに下方まで入り込み、この状態で前面扉２を開けようとしても、固定ロック部材４２の切欠アーム部４２ａが、スライドロック部材４１におけるロック用孔部４１ｂの直上部分に当接して前後に位置規制され、自動販売機本体１から前面扉２を開けられないようにロックされる。
【００３４】
一方、キーが錠装置３０に挿入されて解錠され、ロック操作ハンドル３１とともに回動部３６並びに回動プレート３７が所定方向に回動されると、回動プレート３７に連動してスライドロック部材４１が上昇され、スライドロック部材４１のロック用孔部４１ｂに対して固定ロック部材４２の切欠アーム部４２ａが前面扉２に対して挿脱自在で何ら係合しないロック解除状態となる。したがって、自動販売機本体６から前面扉２を自由に開閉することができる。
【００３５】
図１、図３、図４などに示すように、コインメック２０を、ロック用ハンドル３１を備えた錠装置３０の奥側に配設し、すなわち、ロック操作ハンドル３１などを備えた錠装置３０と、コインメック２０とが正面視して重なるように配設している。これにより、車椅子を利用している身体障害者などの利用者が、車椅子に座ったままの姿勢などでも利用し易いように、高さ方向中央寄りの低い位置に設けた商品見本４や商品選択ボタン６の数を多くすべく、展示室３の下段部分の幅を広めに構成している。
【００３６】
さらに、図４などに示すように、特に、前面扉２の前面パネル１８よりも手前側に突出させた突出状部１３に、ロック操作ハンドル３１を含めた錠装置３０を配設している。
また、この自動販売機では、図３などに示すように、上述したように、突出状部１３の左右方向中央部の上部に、奥側に押すことで釣銭の返却動作を行わせる釣銭返却用押ボタン１０が配設されている。図９に示すように、釣銭返却用押ボタン１０は、突出状部１３の前面部分に続いて形成されている筒状部１３ａにより、略前後方向に出退自在に支持され、釣銭返却用押ボタン１０の後端部近傍に回動自在に支持された回動片２６に当接されている。突出状部１３の裏面には、釣銭返却用押ボタン１０の後退位置を規制するストッパ２７が取り付けられ、このストッパ２７に回動片２６を回動自在に支持する軸２８が略水平に取り付けられている。また、図９における２９は、回動片２６の起立部分を釣銭返却用押ボタン１０の後端部側に付勢するばねである。そして、図３、図９に示すように、コインメック２０の上部には、回動片２６の水平部分に当接する返却用ローラ２３が回動自在に取り付けられており、この返却用ローラ２３が取り付けられた返却用レバー２４が押圧されることで、釣銭の返却動作が行われるようになっている。すなわち、利用者が釣銭返却用押ボタン１０を押すことで、回動片２６が回動して、コインメック２０の返却用ローラ２３および返却用レバー２４が押圧され、返却動作が行われる。このように、コインメック２０は、返却レバー仕様の返却機構を備えた一般的なものが用いられている。
【００３７】
上記構成により、コインメック２０に対して錠装置３０を正面視して重なるように配設させたことにより、展示室３の下段部分の幅を広めに構成することができて、この箇所の商品見本４や商品選択ボタン６の数を多くできて、車椅子を利用している身体障害者などの利用者が、車椅子に座ったままの姿勢などでも利用し易いよう構成できる。また、自動販売機の幅を、無駄を排除してできるだけ狭くすることができる。
【００３８】
このように、コインメック２０に対して錠装置３０を正面視して重なるように配設する一方で、錠装置３０を、前面扉２の前面パネル１８よりも手前側に突出させた突出状部１３に配設したので、実質的に、錠装置３０を前面扉２の前面パネル１８から前後方向に対して接近させた状態で配設できる。したがって、図４や図５に示すように、コイン導入シュート２１やコイン排出シュート２２として短めのものを用いることができ、この結果、図１に示すように、コイン投入口７を自動販売機の前面扉２において中央寄りの低い位置に配置でき、かつ釣銭返却口１１を前面扉２において中央寄りの高い位置に配置できる。したがって、車椅子を利用している身体障害者などの利用者が、車椅子に座ったままの姿勢などでも利用し易い自動販売機を提供することができる。
【００３９】
また、突出状部１３の上面部分にコイン投入受皿１４を形成したので、身体障害者などの利用者を含めた全ての利用者にとってコインＣの投入動作を行い易くなるとともに、複数枚のコインＣを一度に容易に投入できるようになり、利便性が向上する。そして、前面扉２の前面パネル１８よりも手前側に突出させた突出状部１３を、コイン投入受皿１４と、錠装置３０の収容配設部として兼用することができる。したがって、コイン投入受皿１４を設けるためと、錠装置３０を収容するためとに、それぞれ別個に突出状部を形成する場合に比べて構造が簡単となり、製造コストの増加を少なく抑えることができる。
【００４０】
また、上記構成によれば、前面扉２の前面パネル１８よりも手前側に突出させて釣銭払出受皿１５を設けたので、身体障害者などの利用者を含めた全ての利用者にとって釣銭の回収動作も行い易くなり、利便性が向上する。
【００４１】
さらに、突出状部１３に、前面扉２の奥側に押すことで釣銭の返却動作を行わせる釣銭返却用押ボタン１０を設けたことにより、釣銭返却用押ボタン１０を奥側に押すことで釣銭の返却動作を行わせることができ、一般の自動販売機のように、返却レバーを回動させることにより返却動作を行わせる場合と比較して、身体障害者などの利用者を含めた全ての利用者にとってより使い易くなる。また、突出状部１３に釣銭返却用押ボタン１０を設けているので、この突出状部１３に上記のように釣銭返却用押ボタン１０の押圧動作を回動片２６の回転動作に変換する機構を内装することで、一般に多く流通している返却レバー仕様の返却機構を備えたコインメック２０を利用することができ、製造コストの増加を最小限に抑えることができる。
【図面の簡単な説明】
【００４２】
【図１】本発明の実施の形態に係る自動販売機の全体正面図である。
【図２】同自動販売機の中央部から下部にかけての斜視図である。
【図３】同自動販売機の要部正面図である。
【図４】同自動販売機の突出状部およびコインメック近傍箇所の要部側面断面図である。
【図５】（ａ）および（ｂ）は同自動販売機の第２の突出状部およびその近傍箇所の要部正面図および側面断面図である。
【図６】同自動販売機のロック機構が設けられている箇所の平面断面図である。
【図７】同自動販売機の施錠時における、スライドロック部材と固定ロック部材との係合状態を概念的に示す斜視図である。
【図８】（ａ）および（ｂ）はそれぞれ同自動販売機のスライドロック部材と固定ロック部材との係合状態を概念的に示す側面断面図で、（ａ）は施錠時、（ｂ）は解錠時の状態を示す。
【図９】同自動販売機の釣銭返却用押ボタンの動作を示す側面断面図である。
【図１０】（ａ）〜（ｃ）はそれぞれ従来の自動販売機の正面図である。
【図１１】（ａ）および（ｂ）はそれぞれ同従来の自動販売機の前面パネルとコインメックとの位置関係に伴うコイン投入口と釣銭返却口との位置関係を簡略的に示す側面図である。
【符号の説明】
【００４３】
１      自動販売機本体
２      前面扉
３      展示室
４      商品見本
５      見本棚
６      商品選択ボタン
７      コイン投入口
８      紙幣挿入口
９      投入金額表示部
１０    釣銭返却用押ボタン
１１    釣銭返却口
１２    商品取出口
１３    突出状部（突出操作部）
１４    コイン投入受皿
１５    釣銭払出受皿
１６    紙幣ガイド部
１８    前面パネル
１９    第２突出状部
２０    硬貨処理装置（コインメック）
２１    コイン導入シュート
２２    コイン排出シュート
３０    錠装置
３１    ロック操作ハンドル
【図１】
2008097316.tif 000003
【図２】
2008097316.tif 000004
【図３】
2008097316.tif 000005
【図４】
2008097316.tif 000006
【図５】
2008097316.tif 000007
【図６】
2008097316.tif 000008
【図７】
2008097316.tif 000009
【図８】
2008097316.tif 000010
【図９】
2008097316.tif 000011
【図１０】
2008097316.tif 000012
【図１１】
2008097316.tif 000013